(57)【特許請求の範囲】
【請求項１】
複数のカラオケ曲データを格納する曲データ格納手段と、前記曲データ格納手段を制御する制御手段とを備えた中央装置と、
伝送回線を通じて前記中央装置と接続されており、カラオケ曲データに対応する曲コードを入力する曲コード入力手段と、前記入力手段から入力された曲コードに対応したカラオケ曲データの送信要求を前記中央装置に要求すると共に、前記曲データ格納手段より送出されたカラオケ曲データを受信する通信手段と、受信したカラオケ曲データを格納する受信データ格納手段と、受信したカラオケ曲データに基づいてカラオケ曲の演奏を行う演奏手段とを備えた複数のカラオケ端末装置とからなるカラオケ通信システムにおいて、
前記中央装置の曲データ格納手段の一部が破損し、カラオケ曲データを取り出せなくなった場合、前記制御手段は前記各カラオケ端末装置に前記受信データ格納手段に格納されているカラオケ曲データの送信を要求すると共に、前記受信データ格納手段より送出されたカラオケ曲データを受信し、受信したカラオケ曲データを前記曲データ格納手段の破損していない領域に格納することを特徴とするカラオケ通信システム。
【請求項２】
前記中央装置は、曲データ格納手段からカラオケ端末装置に送出するカラオケ曲データにカラオケ曲データの格納されている格納領域を表す格納コードを付加する格納コード付加手段を備え、
前記各カラオケ端末装置は、受信データ格納手段に格納されているカラオケ曲データに付加された格納コードを検出する格納コード検出手段を備え、
前記中央装置の曲データ格納手段の一部が破損し、カラオケ曲データを取り出せなくなった場合、前記制御手段は前記各カラオケ端末装置に前記曲データ格納手段の破損した格納領域の格納コードが付加されているカラオケ曲データの送信を要求し、
前記各カラオケ端末装置は制御手段を介して要求されている格納コードが付加されているカラオケ曲データを前記格納コード検出手段により検出して前記受信データ格納手段より送出し、
前記制御手段は前記受信データ格納手段より送出されたカラオケ曲データを受信し、その受信したカラオケ曲データを前記曲データ格納手段の破損していない領域に格納することを特徴とする請求項１記載のカラオケ通信システム。
【請求項３】
前記中央装置は、カラオケ曲に対応した前記格納コードと送出先カラオケ端末装置の識別コードとを記憶するコード記憶手段と、前記コード記憶手段に記憶されているデータに基づいて格納コードに対応するカラオケ曲データ送出先のカラオケ端末装置の識別コードを検出する端末コード検出手段とを備え、
前記中央装置の曲データ格納手段の一部が破損し、カラオケ曲データを取り出せなくなった場合、前記制御手段は前記曲データ格納手段の破損した格納領域の格納コードに対応したカラオケ曲データ送出先のカラオケ端末装置の識別コードを前記端末コード検出手段により検出し、前記識別コードに対応したカラオケ端末装置に対して前記受信データ格納手段の破損した格納領域の格納コードが付加されているカラオケ曲データの送信を要求し、
前記カラオケ端末装置は前記格納コードが付加されているカラオケ曲データを検出して前記受信データ格納手段より送出し、
前記制御手段は前記受信データ格納手段より送出されたカラオケ曲データを受信し、その受信したカラオケ曲データを前記曲データ格納手段の破損していない領域に格納することを特徴とする請求項２記載のカラオケ通信システム。
【請求項４】
前記カラオケ端末装置は、前記中央装置の曲データ格納手段の動作検査を行う動作検査手段を備え、
前記カラオケ端末装置は一定時間毎に前記動作検査手段により前記中央装置の曲データ格納手段の動作検査を行い、曲データ格納手段に破損した領域がある場合に、前記カラオケ端末装置は受信データ格納手段に格納しているカラオケ曲データを前記中央装置に送出し、制御手段は受信したカラオケ曲データを曲データ格納手段の破損していない領域に格納することを特徴とする請求項１記載のカラオケ通信システム。
【発明の詳細な説明】
【０００１】
【発明の属する技術分野】
本発明は、中央装置と伝送回線を通じて接続された複数のカラオケ端末装置とから構成されるカラオケ通信システムに関し、特に、中央装置のカラオケ曲データ格納装置の一部が破損し、カラオケ曲データを損失した場合におけるカラオケ曲データの修復方法に関するものである。
【０００２】
【従来の技術】
従来、カラオケ装置は多くの曲を演奏できるようにする必要があるため、オートチェンジレーザディスクドライブ装置やオートチェンジコンパクトディスクドライブ装置等を搭載し、カラオケ曲データ格納に大きなスペースを取ってきた。そこで、最近では中央装置にカラオケ曲データ格納機能を１つにまとめ、中央装置から複数のカラオケ端末装置にカラオケ曲データを伝送するカラオケ通信システムが開発されてきた。この種のカラオケ通信システムは、個々の部屋に設置された複数のカラオケ端末装置の各々と多数のカラオケ曲データを格納した中央装置とを伝送回線を介して接続したものである。このようなカラオケ通信システムにおいては、カラオケ曲データは中央装置の大容量のハードディスクドライブ等にディジタルデータとして記録されており、カラオケ曲を演奏する複数のカラオケ端末装置にも小容量のハードディスクドライブ等の記憶装置を搭載し、特に連続してカラオケ曲を演奏をするとき等は、次の曲のカラオケ曲データを予め中央装置のカラオケ曲データ格納部からカラオケ端末装置の小容量の記憶装置に伝送しておき、演奏を途切れなく行えるようにしている。
【０００３】
【発明が解決しようとする課題】
しかしながら、このようなカラオケ通信システムにおいては、中央装置のカラオケ曲データ格納部の一部が破損すると、その部分のカラオケ曲データを取り出せなくなり、その部分のカラオケ曲のリクエストを行う全てのカラオケ端末装置において演奏ができなかった。また、取り出せなくなったカラオケ曲データをカラオケ曲データ格納部の破損していない部分に新たに格納するには多大の手間と人件費等のコストが掛かっていた。
【０００４】
そこで、本発明は、上述した問題点を解決するためになされたものであり、中央装置においてカラオケ曲データ格納部の破損を検出した場合、複数の全てのカラオケ端末装置に伝送されて記憶されているカラオケ曲データの送出を全てのカラオケ端末装置に要求し、受信したカラオケ曲データを中央装置のカラオケ曲データ格納部の破損していない領域に格納することにより、取り出せなくなったカラオケ曲データを修復し、再び全てのカラオケ端末装置で破損した領域のカラオケ曲データを演奏できるカラオケ通信システムを提供することを目的とする。また、中央装置においてカラオケ曲データ格納部の破損を検出した場合、中央装置が自動的にカラオケ曲データ格納部の破損領域に格納されていた曲データの修復を行い、カラオケ曲データ修復のための手間や人件費等のコストを大幅に削減できるカラオケ通信システムを提供することを目的とする。
【０００５】
【課題を解決するための手段】
この目的を達成するため請求項１に係るカラオケ通信システムは、複数のカラオケ曲データを格納する曲データ格納手段と、前記曲データ格納手段を制御する制御手段とを備えた中央装置と、伝送回線を通じて前記中央装置と接続されており、カラオケ曲データに対応する曲コードを入力する曲コード入力手段と、前記入力手段から入力された曲コードに対応したカラオケ曲データの送信要求を前記中央装置に要求すると共に、前記曲データ格納手段より送出されたカラオケ曲データを受信する通信手段と、受信したカラオケ曲データを格納する受信データ格納手段と、受信したカラオケ曲データに基づいてカラオケ曲の演奏を行う演奏手段とを備えた複数のカラオケ端末装置とからなるカラオケ通信システムにおいて、前記中央装置の曲データ格納手段の一部が破損し、カラオケ曲データを取り出せなくなった場合、前記制御手段は前記各カラオケ端末装置に前記受信データ格納手段に格納されているカラオケ曲データの送信を要求すると共に、前記受信データ格納手段より送出されたカラオケ曲データを受信し、受信したカラオケ曲データを前記曲データ格納手段の破損していない領域に格納することを特徴とする。
【０００６】
このような特徴を有するカラオケ通信システムにおいては、中央装置においてカラオケ曲データ格納部の破損を検出した場合、複数の全てのカラオケ端末装置に伝送されて記憶されているカラオケ曲データの送出を全てのカラオケ端末装置に要求し、受信したカラオケ曲データを中央装置のカラオケ曲データ格納部の破損していない領域に格納する。
これにより、カラオケ曲データ格納部が破損して取り出せなくなったカラオケ曲データを修復し、再び全てのカラオケ端末装置で破損した部分のカラオケ曲データを演奏することが可能になる。また、中央装置においてカラオケ曲データ格納部の破損を検出した場合、中央装置が自動的にカラオケ曲データ格納部の破損領域に格納されていた曲データの修復を行うことができ、カラオケ曲データ修復のための手間や人件費等のコストを大幅に削減することが可能になる。
【０００７】
また、請求項２に係るカラオケ通信システムは、請求項１に係るカラオケ通信システムにおいて、前記中央装置は、曲データ格納手段からカラオケ端末装置に送出するカラオケ曲データにカラオケ曲データの格納されている格納領域を表す格納コードを付加する格納コード付加手段を備え、前記各カラオケ端末装置は、受信データ格納手段に格納されているカラオケ曲データに付加された格納コードを検出する格納コード検出手段を備え、前記中央装置の曲データ格納手段の一部が破損し、カラオケ曲データを取り出せなくなった場合、前記制御手段は前記各カラオケ端末装置に前記曲データ格納手段の破損した格納領域の格納コードが付加されているカラオケ曲データの送信を要求し、前記各カラオケ端末装置は制御手段を介して要求されている格納コードが付加されているカラオケ曲データを前記格納コード検出手段により検出して前記受信データ格納手段より送出し、前記制御手段は前記受信データ格納手段より送出されたカラオケ曲データを受信し、その受信したカラオケ曲データを前記曲データ格納手段の破損していない領域に格納することを特徴とする。
【０００８】
このような特徴を有するカラオケ通信システムにおいては、予めカラオケ曲データにカラオケ曲データ格納部の格納領域を示す格納コードを付加してカラオケ端末装置に伝送しておく。次に、中央装置においてカラオケ曲データ格納部の破損を検出した場合、破損した格納領域の格納コードの付いたカラオケ曲データの送出を全てのカラオケ端末装置に要求し、受信したカラオケ曲データを中央装置のカラオケ曲データ格納部の破損していない領域に格納する。
これにより、取り出せなくなったカラオケ曲データを効率的に修復し、再び全てのカラオケ端末装置で破損した領域のカラオケ曲データを演奏することが可能になる。また、中央装置においてカラオケ曲データ格納部の破損を検出した場合、中央装置が自動的にカラオケ曲データ格納部の破損領域に格納されていたカラオケ曲データの修復を行うことができ、カラオケ曲データ修復のための手間や人件費等のコストを大幅に削減することが可能になる。
【０００９】
また、請求項３に係るカラオケ通信システムは、請求項２に係るカラオケ通信システムにおいて、前記中央装置は、カラオケ曲に対応した前記格納コードと送出先カラオケ端末装置の識別コードとを記憶するコード記憶手段と、前記コード記憶手段に記憶されているデータに基づいて格納コードに対応するカラオケ曲データ送出先のカラオケ端末装置の識別コードを検出する端末コード検出手段とを備え、前記中央装置の曲データ格納手段の一部が破損し、カラオケ曲データを取り出せなくなった場合、前記制御手段は前記曲データ格納手段の破損した格納領域の格納コードに対応したカラオケ曲データ送出先のカラオケ端末装置の識別コードを前記端末コード検出手段により検出し、前記識別コードに対応したカラオケ端末装置に対して前記受信データ格納手段の破損した格納領域の格納コードが付加されているカラオケ曲データの送信を要求し、前記カラオケ端末装置は前記格納コードが付加されているカラオケ曲データを検出して前記受信データ格納手段より送出し、前記制御手段は前記受信データ格納手段より送出されたカラオケ曲データを受信し、その受信したカラオケ曲データを前記曲データ格納手段の破損していない領域に格納することを特徴とする。
【００１０】
このような特徴を有するカラオケ通信システムにおいては、予めカラオケ端末装置に識別コードを割り付けておく。そして、中央装置はカラオケ曲データにカラオケ曲データ格納部の格納領域を示す格納コードを付加してカラオケ端末装置に伝送し、また、前記格納コードと伝送先のカラオケ端末装置の識別コードを記憶しておく。次に、中央装置はカラオケ曲データ格納部の破損を検出した場合、破損した格納領域の格納コードに対応した伝送先のカラオケ端末装置の識別コードを前記記憶データから検出し、前記識別コードを割り付けられたカラオケ端末装置に破損領域の格納コードの付いたカラオケ曲データの送出を要求し、受信したカラオケ曲データを中央装置のカラオケ曲データ格納部の破損していない領域に格納する。
これにより、取り出せなくなったカラオケ曲データを効率的に修復し、再び全てのカラオケ端末装置で破損した領域のカラオケ曲データを演奏することが可能になる。また、中央装置においてカラオケ曲データ格納部の破損を検出した場合、中央装置が自動的にカラオケ曲データ格納部の破損領域に格納されていた曲データの修復を行うことができ、カラオケ曲データ修復のための手間や人件費等のコストを大幅に削減することが可能になる。
【００１１】
また、請求項４に係るカラオケ通信システムは、請求項１に係るカラオケ通信システムにおいて、前記カラオケ端末装置は、前記中央装置の曲データ格納手段の動作検査を行う動作検査手段を備え、前記カラオケ端末装置は一定時間毎に前記動作検査手段により前記中央装置の曲データ格納手段の動作検査を行い、曲データ格納手段に破損した領域がある場合に、前記カラオケ端末装置は受信データ格納手段に格納しているカラオケ曲データを前記中央装置に送出し、制御手段は受信したカラオケ曲データを曲データ格納手段の破損していない領域に格納することを特徴とする。
【００１２】
このような特徴を有するカラオケ通信システムにおいては、カラオケ端末装置が一定時間毎に中央装置のカラオケ曲データ格納部の検査を行う。次に、破損領域を検出した場合は、受信データ格納部のカラオケ曲データを送出し、中央装置は受信したカラオケ曲データをカラオケ曲データ格納部の破損していない領域に格納する。
これにより、取り出せなくなったカラオケ曲データを修復し、再び全てのカラオケ端末装置で破損した領域のカラオケ曲データを演奏することが可能になる。また、カラオケ端末装置において中央装置のカラオケ曲データ格納部の破損を検出した場合、カラオケ端末装置が自動的に中央装置のカラオケ曲データ格納部の破損領域に格納されていた曲データの修復を行うことができ、カラオケ曲データ修復のための手間や人件費等のコストを大幅に削減することが可能になる。
【００１３】
【発明の実施の形態】
以下、本発明に係るカラオケ通信システムについて、本発明を具体化した第１乃至第４の実施の形態に基づき図面を参照して詳細に説明する。先ず、第１実施形態のカラオケ通信システムを図１乃至図５に基づいて説明する。ここに、図１は第１実施形態に係るカラオケ通信システムのシステム構成を示すブロック図、図２は第１実施形態の演奏端末の外観図、図３は第１実施形態の演奏端末の電気的構成を示すブロック図である。また、図４は第１実施形態のカラオケ端末装置の演奏フローチャート、図５は第１実施形態の曲データ格納部の一部分が破損した場合の、破損した領域の曲データ修復のフローチャートである。
ここに、図１は第１実施形態のシステム構成を示すブロック図である。中央装置１には複数のカラオケ端末装置２が接続されている。中央装置１とカラオケ端末装置２との接続はＳＣＳＩ（Small Computer System Interface）により接続されている。中央装置１は曲データ格納手段としての曲データ格納部１１とこれを制御する制御手段としてのパソコン１４により構成されている。また、データ格納部１１は複数のハードディスクドライブ（以下ＨＤＤという）１２およびＨＤＤ１５により構成され、ＨＤＤ１２にはカラオケ曲データ１３が多数格納されており、ＨＤＤ１５は空き容量１６を有している。そして、制御用パソコン１４はＨＤＤ１４Ａ、ＲＯＭ１４Ｂ、ＲＡＭ１４Ｃを搭載している。また、カラオケ端末装置２は曲データ格納部１１にＳＣＳＩで接続している演奏端末２１とこれに接続されているアンプ２２、およびアンプ２２に接続されたマイク２３とスピーカ２４により構成されている。
【００１４】
次に、図２に演奏端末２１の外観図を示す。演奏端末２１の前面には、曲コードを入力するための曲コード入力手段としてのプッシュボタン３１と入力された曲コードが表示される７セグメントＬＥＤ（以下７ｓｅｇＬＥＤという）３２が設けられている。また、演奏端末２１の背面にはカラオケ曲データの演奏情報を出力する音楽出力端子３３、歌詞情報、表示情報等を出力する映像出力端子３４、および曲データ格納部１１と接続するためのＳＣＳＩ端子３５が設けられている。尚、歌詞情報とは、カラオケ曲のタイトルや歌詞等のデータであり、テロップとしてモニタ２５（図３参照）に表示される。
【００１５】
次に、図３に演奏端末２１の電気的構成のブロック図を示す。演奏端末２１はＣＰＵ４１により全体を制御される。ＣＰＵ４１にはプッシュボタン３１、７ｓｅｇＬＥＤ３２、演奏手段としての音楽演奏回路４２、受信データ格納手段としてのローカルハードディスクドライブ（以下ローカルＨＤＤという）４３、メモリ４６、映像処理回路４７、およびＳＣＳＩコントローラ４８が接続されている。また、音楽演奏回路４２には音楽出力端子３３が接続されており、音楽出力端子３３はアンプ２２に接続され、アンプ２２にはマイク２３とスピーカ２４が接続されている。そして、映像処理回路４７には映像出力端子３４が接続され、映像出力端子３４はモニタ２５に接続されている。さらに、ＳＣＳＩコントローラ４８にはＳＣＳＩ端子３５が接続されおり、ＳＣＳＩ端子３５は曲データ格納部１１に接続されている。そして、これらＳＣＳＩ端子３５及びＳＣＳＩコントローラ４８が通信手段に相当する。また、曲データ格納部１１には制御用パソコン１４がＳＣＳＩにより接続されている。
また、ローカルＨＤＤ４３には演奏するためのカラオケ曲データ４４とＣＰＵ１４の動作プログラム４５が格納されている。
【００１６】
次に、図４に第１実施形態のカラオケ端末装置２の演奏フローチャートを示す。演奏端末２１は、プッシュボタン３１により曲コードを入力されるまで入力待の状態である（Ｓ１：ＮＯ）。プッシュボタン３１により曲コードを入力すると（Ｓ１：ＹＥＳ）、入力された曲コードに対応したカラオケ曲データがローカルＨＤＤ４３のカラオケ曲データ４４にないか検索し、無い場合は（Ｓ２：ＹＥＳ）、曲データ格納部１１のカラオケ曲データ１３を検索して（Ｓ３）、ローカルＨＤＤ４３のカラオケ曲データ格納部の空き状態を確認し、十分な空き容量があれば（Ｓ４：ＮＯ）、プッシュボタン３１により入力された曲コードに対応したカラオケ曲データを読み込み、このデータに現在の時刻データを付加して、ローカルＨＤＤ４３のカラオケ曲データ格納部４４に格納する（Ｓ６）。また、ローカルＨＤＤ４３のカラオケ曲データ格納部４４に十分な空き容量が無い場合は（Ｓ４：ＹＥＳ）、カラオケ曲データ格納部４４に格納されているカラオケ曲データのうち、付加されている時刻データが一番古いカラオケ曲データを削除し（Ｓ５）、プッシュボタン３１により入力された曲コードに対応したカラオケ曲データを読み込み、このデータに現在の時刻データを付加して、ローカルＨＤＤ４３のカラオケ曲データ格納部４４に格納する。（Ｓ６）。このカラオケ曲データ格納部４４に記憶可能なカラオケ曲データの数は数曲であってもよいし、数百曲単位であってもよい。
次に、ＣＰＵ４１は前記読み込んだカラオケ曲データを読みだし、読みだしたカラオケ曲データから演奏情報を音楽演奏回路４２に出力する。音楽演奏回路は入力された演奏情報をアナログ信号に変調し、音楽出力端子３３を介してアンプ２２に出力する。アンプ２２はマイク２３から入力された音声信号と前記アナログ信号とをミキシングし、設定された音量に増幅してスピーカ２４に出力し、選択された曲が演奏される。また、前記選曲されたカラオケ曲データの歌詞情報や表示情報等を映像処理回路４７に出力する。映像処理回路４７は、入力された歌詞情報や表示情報等をタイトルや歌詞等のテロップとして合成し、映像出力端子３４を介して、モニタ２５に出力し、モニタ２５に表示される（Ｓ７）。
また、プッシュボタン３１により入力された曲コードに対応したカラオケ曲データがローカルＨＤＤ４３のカラオケ曲データ４４にないか検索し、有った場合は（Ｓ２：ＮＯ）、ＣＰＵ４１は曲コードに対応したカラオケ曲データを読みだし、読みだしたカラオケ曲データから演奏情報を音楽演奏回路４２に出力する。音楽演奏回路は入力された演奏情報をアナログ信号に変調し、音楽出力端子３３を介してアンプ２２に出力する。アンプ２２はマイク２３から入力された音声信号と前記アナログ信号とをミキシングし、設定された音量に増幅してスピーカ２４に出力し、選択された曲が演奏される。また、前記選曲されたカラオケ曲データの歌詞情報や表示情報等を映像処理回路４７に出力する。映像処理回路４７は、入力された歌詞情報や表示情報等をタイトルや歌詞等のテロップとして合成し、映像出力端子３４を介して、モニタ２５に出力し、モニタ２５に表示される（Ｓ７）。
ここで、カラオケ曲が演奏されているときのスピーカー９とモニタ１１の動作について説明する。先ず、プッシュボタン３１でカラオケ曲の曲コードを入力すると、カラオケ曲の演奏がスピーカー２４から出力される以前に、歌詞等のモニタ２５への表示が開始される。これは、演奏されるカラオケ曲のタイトルを予め表示するためである。尚、モニタ２５に表示されたタイトルは、テロップとして表示される。その後に、カラオケ曲データの演奏情報に基づいて、スピーカー２４からカラオケ曲の演奏が出力される。
次に、選択されたカラオケ曲の演奏終了後、続けるのであれば、再度曲コード入力待の状態に戻る（Ｓ８：ＮＯ）。続けない場合は終了する（Ｓ８：ＹＥＳ）。
【００１７】
次に、第１実施形態の曲データ格納部１１のＨＤＤ１２の一部分が破損した場合の、破損領域の曲データ１３の修復方法を図５に基づいて説明する。図５は曲データ格納部１１の一部分が破損した場合の曲データ修復のフローチャートである。中央装置１の制御用パソコン１４は一定時間カウント後（Ｓ１１）、曲データ格納部１１のチェックを行い、異常がなければ（Ｓ１２：ＮＯ）、再度一定時間のカウントを繰り返す（Ｓ１１）。
また、曲データ格納部１１のチェックの結果、一部分が破損している場合は（Ｓ１２：ＹＥＳ）、各演奏端末２１に対して、曲データ格納部１１のＨＤＤ１２の一部分に破損が有ることと、曲データ格納部１１の空き容量１６のある破損していないＨＤＤ１５を指定して通知する（Ｓ１３）。各演奏端末２１は前記通知を制御用パソコン１４より受け取ると、各ローカルＨＤＤ４３の中に格納しているカラオケ曲データ４４を前記指定された空き容量１６のある破損していないＨＤＤ１５に時刻データを付加して格納する（Ｓ１４）。
次に、全ての演奏端末２１からＨＤＤ１５へのカラオケ曲データの格納が終了すると、制御用パソコン１４は前記格納されたＨＤＤ１５のカラオケ曲データ１６のうち、重複して格納されているカラオケ曲データのうち、最初に格納されたカラオケ曲データ以外のものを削除する。また、ＨＤＤ１２に格納されているカラオケ曲データ１３と重複しているデータも削除し、ＨＤＤ１５のカラオケ曲データ１６を整理する（Ｓ１５）。
次に、制御用パソコン１４は停止コマンドが入力されていない場合は（Ｓ１６：ＮＯ）、再度曲データ格納部１１の検査を繰り返す。また、停止コマンドが入力されていれば停止する（Ｓ１６：ＹＥＳ）。
【００１８】
したがって、中央装置１において制御用パソコン１４により曲データ格納部１１の破損を検出した場合、複数の全てのカラオケ端末装置２に伝送されて記憶されているカラオケ曲データ４４の送出を全てのカラオケ端末装置２に要求し、受信したカラオケ曲データ４４を中央装置１のカラオケ曲データ格納部１１の破損していないＨＤＤ１５に格納する。
これにより、中央装置１の曲データ格納部１１の破損して取り出せなくなったカラオケ曲データを修復し、再び全てのカラオケ端末装置２で破損した領域のカラオケ曲データを演奏することが可能になる。また、中央装置１において曲データ格納部１１の破損を検出した場合、中央装置１が自動的にカラオケ曲データ格納部１１の破損領域に格納されていたカラオケ曲データ１３の修復を行うことができ、カラオケ曲データ修復のための手間や人件費等のコストを大幅に削減することが可能になる。
【００１９】
次に、第２実施形態のカラオケ通信システムを図１乃至図３、及び図４と図６に基づいて説明する。第２実施形態のカラオケ通信システムのシステム構成は、図１乃至図３に示される第１実施形態と同じ構成である。また、第２実施形態の中央装置１の制御用パソコン１４に搭載されているＨＤＤ１４Ａには曲データ格納部１１の複数のＨＤＤ１２を識別する格納コードが記憶されており、制御用パソコン１４は前記格納コードに基づき、カラオケ曲データ１３を格納する時にＨＤＤ１２に記憶している格納コードを付加して格納する。その意味で、制御用パソコン１４は格納コード付加手段に相当する。従って、演奏端末２１のローカルＨＤＤ４３に格納されているカラオケ曲データ４４にも、ＨＤＤ１２を識別する格納コードが付加されている。
また、第２実施形態のカラオケ端末装置２の演奏フローチャートは、図４に示される第１実施形態の演奏フローチャートと同一である。
【００２０】
次に、第２実施形態の曲データ格納部１１のＨＤＤ１２の一部分が破損した場合の、破損領域の曲データ１３の修復方法を図６に基づいて説明する。図６は第２実施形態の曲データ格納部１１の破損した領域の曲データ修復のフローチャートである。中央装置１の制御用パソコン１４は一定時間カウント後（Ｓ２１）、曲データ格納部１１のチェックを行い、異常がなければ（Ｓ２２：ＮＯ）、再度一定時間のカウントを繰り返す（Ｓ２１）。
また、曲データ格納部１１のチェックの結果、一部分が破損している場合は（Ｓ２２：ＹＥＳ）、破損領域のＨＤＤ１２の格納コードを検出し（Ｓ２３）、全ての演奏端末２１に破損領域のＨＤＤ１２の格納コードと曲データ格納部１１の空き容量１６のある破損していないＨＤＤ１５の格納コードとを指定してを通知する（Ｓ２４）。
次に、前記通知を受けた各演奏端末２１のＣＰＵ４１は、ローカルＨＤＤ４３に格納されているカラオケ曲データ４４を順次読みだし、この読みだしたカラオケ曲データに前記破損領域のＨＤＤ１２の格納コードが付加されている場合は、このカラオケ曲データに付加されている格納コードを前記ＨＤＤ１５の格納コードに変更して、ＨＤＤ１５に格納する（Ｓ２５）。
次に、全ての演奏端末２１からＨＤＤ１５へのカラオケ曲データの格納が終了すると、制御用パソコン１４は前記格納されたＨＤＤ１５のカラオケ曲データ１６のうち、重複して格納されているカラオケ曲データのうち、最初に格納されたカラオケ曲データ以外のものを削除し、ＨＤＤ１５のカラオケ曲データ１６を整理する（Ｓ２６）。
次に、制御用パソコン１４に停止コマンドが入力されていない場合は（Ｓ２７：ＮＯ）、再度曲データ格納部の検査を繰り返す。また、停止コマンドが入力されていれば停止する（Ｓ２７：ＹＥＳ）。
【００２１】
したがって、このような特徴を有する第２実施形態に係わるカラオケ通信システムにおいては、予めカラオケ曲データにカラオケ曲データ格納部１１の格納領域を示す格納コードを付加してカラオケ端末装置２に伝送しておく。次に、中央装置１においてカラオケ曲データ格納部１１の破損を検出した場合、破損したＨＤＤ１２の格納コードの付いたカラオケ曲データ４４の送出を全てのカラオケ端末装置２に要求し、受信したカラオケ曲データを中央装置１のカラオケ曲データ格納部１１の破損していないＨＤＤ１５に格納する。
これにより、取り出せなくなったカラオケ曲データを効率的に修復し、再び全てのカラオケ端末装置２で破損したＨＤＤ１２のカラオケ曲データ１３を演奏することが可能になる。また、中央装置１においてカラオケ曲データ格納部１１の破損を検出した場合、中央装置１が自動的にカラオケ曲データ格納部１１の破損領域に格納されていたカラオケ曲データの修復を行うことができ、カラオケ曲データ修復のための手間や人件費等のコストを大幅に削減することが可能になる。
【００２２】
次に、第３実施形態のカラオケ通信システムを図１乃至図３、及び図４と図７に基づいて説明する。第３実施形態のカラオケ通信システムのシステム構成は、図１乃至図３に示される第２実施形態と同じ構成である。また、第３実施形態の複数のカラオケ端末装置２の演奏端末２１には、予め各々識別コードが与えられている。そして、演奏端末２１のＣＰＵ４１は曲データ格納部１１のカラオケ曲データを読み込むときに、このカラオケ曲データに付加されている前記格納コードを検出し、曲データ格納部１１の空き容量１６のあるＨＤＤ１５に読み込んだカラオケ曲データの格納コードと演奏端末２１の識別コードとを書き込む。この意味で、ＣＰＵ４１は格納コード検出手段に相当する。従って、ＨＤＤ１５には、ローカルＨＤＤ４３に格納されているカラオケ曲データ４４に付加されている格納コードと演奏端末２１の識別コードとが対応して格納されている。
また、第３実施形態のカラオケ端末装置２の演奏フローチャートは、図４に示される第１実施形態の演奏フローチャートと同一である。
【００２３】
次に、第３実施形態の曲データ格納部１１のＨＤＤ１２の一部分が破損した場合の、破損領域の曲データ１３の修復方法を図７に基づいて説明する。図７は第３実施形態の曲データ格納部１１の破損した領域の曲データ修復のフローチャートである。中央装置１の制御用パソコン１４は一定時間カウント後（Ｓ３１）、曲データ格納部１１のチェックを行い、異常がなければ（Ｓ３２：ＮＯ）、再度一定時間のカウントを繰り返す（Ｓ３１）。
また、曲データ格納部１１のチェックの結果、一部分が破損している場合は（Ｓ３２：ＹＥＳ）、破損領域のＨＤＤ１２の格納コードを検出する（Ｓ３３）。次に、制御用パソコン１４は曲データ格納部１１のコード記憶手段としてのＨＤＤ１５に格納されている前記格納コードと演奏端末２１の識別コードとのデータに基づいて、破損領域のＨＤＤ１２の格納コードに対応する識別コードを全て検出し（Ｓ３４）、前記識別コードに対応する演奏端末２１に破損領域のＨＤＤ１２の格納コードと曲データ格納部１１の空き容量１６のある破損していないＨＤＤ１５の格納コードとを指定してを通知する（Ｓ３５）。この意味で、制御用パソコン１４は端末コード検出手段に相当する。
次に、前記通知を受けた各演奏端末２１のＣＰＵ４１は、ローカルＨＤＤ４３に格納されているカラオケ曲データ４４を順次読みだし、この読みだしたカラオケ曲データに前記破損領域のＨＤＤ１２の格納コードが付加されている場合は、このカラオケ曲データに付加されている格納コードを前記ＨＤＤ１５の格納コードに変更して、ＨＤＤ１５に格納する（Ｓ３６）。
次に、前記通知を受けた全ての演奏端末２１からＨＤＤ１５へのカラオケ曲データの格納が終了すると、制御用パソコン１４は前記格納されたＨＤＤ１５のカラオケ曲データ１６のうち、重複して格納されているカラオケ曲データのうち、最初に格納されたカラオケ曲データ以外のものを削除し、ＨＤＤ１５のカラオケ曲データ１６を整理する（Ｓ３７）。
次に、制御用パソコン１４は停止コマンドが入力されていない場合（Ｓ３８：ＮＯ）、再度曲データ格納部１１の検査を繰り返す。また、停止コマンドが入力されていれば停止する（Ｓ３８：ＹＥＳ）。
【００２４】
したがって、このような特徴を有する第３実施形態に係わるカラオケ通信システムにおいては、予めカラオケ端末装置２の演奏端末２１に識別コードを割り付けておく。そして、中央装置はカラオケ曲データにカラオケ曲データ格納部１１の格納領域を示す格納コードを付加してカラオケ端末装置２に伝送し、また、前記格納コードと伝送先のカラオケ端末装置２の識別コードを記憶しておく。次に、中央装置はカラオケ曲データ格納部１１の破損を検出した場合、破損した格納領域の格納コードに対応した伝送先のカラオケ端末装置２の演奏端末２１の識別コードを前記記憶データから検出し、前記識別コードを割り付けられた演奏端末２１に破損領域の格納コードの付いたカラオケ曲データの送出を要求し、受信したカラオケ曲データを中央装置１のカラオケ曲データ格納部１１の破損していないＨＤＤ１５に格納する。
これにより、取り出せなくなったカラオケ曲データを効率的に修復し、再び全てのカラオケ端末装置２で破損した領域のカラオケ曲データを演奏することが可能になる。また、中央装置１においてカラオケ曲データ格納部１１の破損を検出した場合、中央装置１が自動的にカラオケ曲データ格納部１１の破損領域に格納されていたカラオケ曲データの修復を行うことができ、カラオケ曲データ修復のための手間や人件費等のコストを大幅に削減することが可能になる。
【００２５】
次に、第４実施形態のカラオケ通信システムを図１乃至図３、及び図４と図８に基づいて説明する。第４実施形態のカラオケ通信システムのシステム構成は、図１乃至図３に示される第１実施形態と同じ構成である。また、第４実施形態のカラオケ端末装置２の演奏フローチャートは、図４に示される第１実施形態の演奏フローチャートと同一である。
【００２６】
次に、第４実施形態の曲データ格納部１１のＨＤＤ１２の一部分が破損した場合の、破損領域の曲データ１３の修復方法を図８に基づいて説明する。図８は第４実施形態の曲データ格納部１１の破損した領域の曲データ修復のフローチャートである。各演奏端末２１のＣＰＵ４１は一定時間カウント後（Ｓ４１）、曲データ格納部１１のチェックを行い、異常がなければ（Ｓ４２：ＮＯ）、再度一定時間のカウントを繰り返す（Ｓ４１）。
また、曲データ格納部１１のチェックの結果、一部分が破損している場合は（Ｓ４２：ＹＥＳ）、ＣＰＵ１４はローカルＨＤＤ４３に格納されているカラオケ曲データ４４を曲データ格納部１１の空き容量１６のあるＨＤＤ１５に時刻データを付加して格納する（Ｓ４３）。
次に、制御用パソコン１４は、一定時間毎に曲データ格納部１１のＨＤＤ１５のカラオケ曲データ１６の検索を行い、前回と同じであればそのままにしておく（Ｓ４４：ＹＥＳ）。また、前回と違っていれば（Ｓ４４：ＮＯ）、重複して格納されているカラオケ曲データのうち、最初に格納されたカラオケ曲データ以外のものを削除する。また、ＨＤＤ１２に格納されているカラオケ曲データ１３と重複しているデータも削除し、ＨＤＤ１５のカラオケ曲データ１６を整理する（Ｓ４５）。
次に、演奏端末２１は停止コマンドが入力されていない場合は（Ｓ４６：ＮＯ）、再度曲データ格納部１１の検査を繰り返す。また、停止コマンドが入力されていれば停止する（Ｓ４６：ＹＥＳ）。
【００２７】
したがって、このような特徴を有する第４実施形態に係わるカラオケ通信システムにおいては、演奏端末２１のＣＰＵ４１が一定時間毎に中央装置１のカラオケ曲データ格納部１１の検査を行う。この意味で、ＣＰＵ４１は動作検査手段に相当する。次に、破損領域を検出した場合は、ローカルＨＤＤ４３のカラオケ曲データ４４を送出し、中央装置１は受信したカラオケ曲データをカラオケ曲データ格納部１１の破損していないＨＤＤ１５に格納する。
これにより、取り出せなくなったカラオケ曲データを修復し、再び全てのカラオケ端末装置２で破損した領域のカラオケ曲データを演奏することが可能になる。また、演奏端末２１において中央装置１のカラオケ曲データ格納部１１の破損を検出した場合、演奏端末２１が自動的に中央装置１のカラオケ曲データ格納部１１の破損領域に格納されていた曲データの修復を行うことができ、カラオケ曲データ修復のための手間や人件費等コストを大幅に削減することが可能になる。
【００２８】
尚、本発明は前記実施の形態に限定されるものでなく、本発明の要旨を逸脱しない範囲内で種々の改良、変更が可能であることは勿論であり、以下のようにしてもよい。
（ａ）本実施形態では、曲データ格納部１１をＨＤＤにより構成しているが、光磁気ディスク装置等で構成してもよい。
（ｂ）第４実施形態では、曲データ格納部１１のＨＤＤ１２に格納コードを付加していないが、第２実施形態と同様にＨＤＤ１２に格納コードを付加して、ＨＤＤ１２の破損したカラオケ曲データ修復の効率化を図ってもよい。
（ｃ）第４実施形態では、演奏端末２１に識別コードを付加していないが、第３実施形態と同様に各演奏端末２１に識別コードを付加して、ＨＤＤ１２の破損したカラオケ曲データ修復の効率化を図ってもよい。
【００２９】
【発明の効果】
以上説明した通り、請求項１に係るカラオケ通信システムによれば、中央装置においてカラオケ曲データ格納部の破損を検出した場合、複数の全てのカラオケ端末装置に伝送されて記憶されているカラオケ曲データの送出を全てのカラオケ端末装置に要求し、受信したカラオケ曲データを中央装置のカラオケ曲データ格納部の破損していない領域に格納することができる。
これにより、カラオケ曲データ格納部の破損して取り出せなくなったカラオケ曲データを修復し、再び全てのカラオケ端末装置で破損した領域のカラオケ曲データを演奏することが可能になる。また、中央装置においてカラオケ曲データ格納部の破損を検出した場合、中央装置が自動的にカラオケ曲データ格納部の破損領域に格納されていた曲データの修復を行うことができ、カラオケ曲データ修復のための手間や人件費等のコストを大幅に削減することが可能なカラオケ通信システムを提供することができる。
【００３０】
また、請求項２に係るカラオケ通信システムによれば、予めカラオケ曲データにカラオケ曲データ格納部の格納領域を示す格納コードを付加してカラオケ端末装置に伝送しておく。次に、中央装置においてカラオケ曲データ格納部の破損を検出した場合、破損した格納領域の格納コードの付いたカラオケ曲データの送出を全てのカラオケ端末装置に要求し、受信したカラオケ曲データを中央装置のカラオケ曲データ格納部の破損していない領域に格納することができる。
これにより、取り出せなくなったカラオケ曲データを効率的に修復し、再び全てのカラオケ端末装置で破損した領域のカラオケ曲データを演奏することが可能になる。また、中央装置においてカラオケ曲データ格納部の破損を検出した場合、中央装置が自動的にカラオケ曲データ格納部の破損領域に格納されていたカラオケ曲データの修復を行うことができ、カラオケ曲データ修復のための手間や人件費等のコストを大幅に削減することが可能なカラオケ通信システムを提供することができる。
【００３１】
また、請求項３に係るカラオケ通信システムによれば、予めカラオケ端末装置に識別コードを割り付けておく。そして、中央装置はカラオケ曲データにカラオケ曲データ格納部の格納領域を示す格納コードを付加してカラオケ端末装置に伝送し、また、前記格納コードと伝送先のカラオケ端末装置の識別コードを記憶しておく。次に、中央装置はカラオケ曲データ格納部の破損を検出した場合、破損した格納領域の格納コードに対応した伝送先のカラオケ端末装置の識別コードを前記記憶データから検出し、前記識別コードを割り付けられたカラオケ端末装置に破損領域の格納コードの付いたカラオケ曲データの送出を要求し、受信したカラオケ曲データを中央装置のカラオケ曲データ格納部の破損していない領域に格納できる。
これにより、取り出せなくなったカラオケ曲データを効率的に修復し、再び全てのカラオケ端末装置で破損した領域のカラオケ曲データを演奏することが可能になる。また、中央装置においてカラオケ曲データ格納部の破損を検出した場合、中央装置が自動的にカラオケ曲データ格納部の破損領域に格納されていた曲データの修復を行うことができ、カラオケ曲データ修復のための手間や人件費等のコストを大幅に削減することが可能なカラオケ通信システムを提供することができる。
【００３２】
また、請求項４に係るカラオケ通信システムによれば、カラオケ端末装置が一定時間毎に中央装置のカラオケ曲データ格納部の検査を行う。次に、破損領域を検出した場合は、受信データ格納部のカラオケ曲データを送出し、中央装置は受信したカラオケ曲データをカラオケ曲データ格納部の破損していない領域に格納できる。
これにより、取り出せなくなったカラオケ曲データを修復し、再び全てのカラオケ端末装置で破損した領域のカラオケ曲データを演奏することが可能になる。また、カラオケ端末装置において中央装置のカラオケ曲データ格納部の破損を検出した場合、カラオケ端末装置が自動的に中央装置のカラオケ曲データ格納部の破損領域に格納されていた曲データの修復を行うことができ、カラオケ曲データ修復のための手間や人件費等のコストを大幅に削減することが可能なカラオケ通信システムを提供することができる。
【図面の簡単な説明】
【図１】第１実施形態に係るカラオケ通信システムのシステム構成を示すブロック図である。
【図２】第１実施形態の演奏端末の外観図である。
【図３】第１実施形態の演奏端末の電気的構成を示すブロック図である。
【図４】第１実施形態のカラオケ端末装置の演奏フローチャートである。
【図５】第１実施形態の曲データ格納部のＨＤＤの一部分が破損した場合の、破損した領域のカラオケ曲データ修復のフローチャートである。
【図６】第２実施形態の曲データ格納部のＨＤＤの一部分が破損した場合の、破損した領域のカラオケ曲データ修復のフローチャートである。
【図７】第３実施形態の曲データ格納部のＨＤＤの一部分が破損した場合の、破損した領域のカラオケ曲データ修復のフローチャートである。
【図８】第４実施形態の曲データ格納部のＨＤＤの一部分が破損した場合の、破損した領域のカラオケ曲データ修復のフローチャートである。
【符号の説明】
１            中央装置
２            カラオケ端末装置
１１            曲データ格納部
１４            制御用パソコン
２１            演奏端末
２２            アンプ
２３            マイク
２４            スピーカ
３１            プッシュボタン
４１            ＣＰＵ
４３            ローカルＨＤＤ
４８            ＳＣＳＩコントローラ
【図１】
0003909530.tif 000002
【図２】
0003909530.tif 000003
【図３】
0003909530.tif 000004
【図４】
0003909530.tif 000005
【図５】
0003909530.tif 000006
【図６】
0003909530.tif 000007
【図７】
0003909530.tif 000008
【図８】
0003909530.tif 000009